(57)【特許請求の範囲】
【請求項１】
デジタル放送の映像データおよび音声データならびにそれらの付加データを受信する受信手段と、
前記受信手段が受信した付加データの一部又は全部のデータを選択するためのユーザの操作を受け付け、前記操作に応じて前記受信手段が受信した付加データからデータを選択する選択手段と、
前記選択手段における選択に基づいて前記データを保存する保存手段と、
前記データに関連付けて保存されるデータの種類を特定する詳細情報を記憶する第一記憶手段と、
第二記憶手段とを備え、
前記保存手段は、前記第一記憶手段に記憶された種類のデータであって、前記選択手段が選択したデータに対応したデータを、前記選択手段が選択した前記データを用いて外部ネットワークから取得し、前記選択手段が選択したデータに関連付けて前記第二記憶手段に保存する、デジタル放送受信機。
【請求項２】
前記保存手段は、ネットワークを介して電子番組表にアクセスし、前記受信手段が受信したデジタル放送の番組に対応する電子番組表から前記第一記憶手段に記憶された種類のデータを取得する、請求項１に記載のデジタル放送受信機。
【請求項３】
前記保存手段は、前記選択手段が選択したデータが電話番号データであった場合に、ネットワークを介して電話番号データベースにアクセスし、当該電話番号データに対応する前記第一記憶手段に記憶された種類のデータを取得する、請求項１に記載のデジタル放送受信機。
【請求項４】
前記保存手段は、前記選択手段が選択したデータがウェブページのアドレスを特定するデータであった場合に、ネットワークを介して当該アドレスにアクセスし、当該アドレスで特定されるウェブページから前記第一記憶手段に記憶された種類のデータを取得する、請求項１に記載のデジタル放送受信機。
【請求項５】
前記保存手段は、前記第一記憶手段に記憶されたデータの種類が気象情報であった場合に、ネットワークを介して、前記受信手段が受信したデータの受信中の所定のタイミングにおける気象情報を取得する、請求項１に記載のデジタル放送受信機。
【請求項６】
前記保存手段は、前記受信手段が受信したデータから前記第一記憶手段に記憶された種類のデータを取得し、前記選択されたデータに関連付けて前記第二記憶手段に保存する、請求項１に記載のデジタル放送受信機。
【請求項７】
前記保存手段は、前記受信手段が受信したデータから、前記選択手段における設定に基づいて選択されたデータを加工することによって、前記第一記憶手段に記憶された種類のデータを取得する、請求項６に記載のデジタル放送受信機。
【請求項８】
計時手段をさらに備え、
前記保存手段は、前記第一記憶手段に記憶されたデータの種類が時刻情報であった場合に、前記受信手段が前記選択手段が選択したデータの受信に対する所定のタイミングでの前記計時手段が計測する時刻情報を取得する、請求項１に記載のデジタル放送受信機。
【請求項９】
通話機能を実現する通話手段をさらに備える、請求項１〜請求項８のいずれかに記載のデジタル放送受信機。
【発明の詳細な説明】
【技術分野】
【０００１】
本発明は、デジタル放送受信機に関し、特に、デジタルテレビジョン放送についての放送内容および当該放送内容に関連して付加されたデータを受信するデジタル放送受信機に関する。
【背景技術】
【０００２】
従来から、デジタルテレビジョン放送を受信する受信機に関し、種々の技術が開示されている。
【０００３】
たとえば、特許文献１（特開２００２−１２５１６７号公報）には、テレビジョン受像機で、テレビジョン放送のデータおよびそれに関連して付加されたデータを受信し、さらに保存し、そして、保存された付加データをテレビジョン受像機からパーソナルコンピュータや携帯電話機に転送し、そこで保存させる技術が開示されている。
【０００４】
また、近年では、携帯電話機等の端末自身においても、デジタルテレビジョン放送が受信できるようになっている。
【特許文献１】特開２００２−１２５１６７号公報
【発明の開示】
【発明が解決しようとする課題】
【０００５】
また、特許文献１では、上記のように、テレビジョン受像機において付加データが保存される。
【０００６】
ユーザは、保存された付加データを参照しようとした場合、保存されたものの中から所望のデータをなかなか見つけられず、不便な思いをすることがあった。
【０００７】
本発明は係る実情に鑑み考え出されたものであり、その目的は、ユーザが選択して保存したデータを容易に管理できるデジタル放送受信機を提供することである。
【課題を解決するための手段】
【０００８】
本発明に従ったデジタル放送受信機は、デジタル放送の映像データおよび音声データならびにそれらの付加データを受信する受信手段と、前記受信手段が受信した付加データの一部又は全部のデータを選択するためのユーザの操作を受け付け、前記操作に応じて前記受信手段が受信した付加データからデータを選択する選択手段と、前記選択手段における選択に基づいて前記データを保存する保存手段と、前記データに関連付けて保存されるデータの種類を特定する詳細情報を記憶する第一記憶手段と、第二記憶手段とを備え、前記保存手段は、前記第一記憶手段に記憶された種類のデータであって、前記選択手段が選択したデータに対応したデータを、前記選択手段が選択した前記データを用いて外部ネットワークから取得し、前記選択手段が選択したデータに関連付けて前記第二記憶手段に保存する。
【００１０】
また、本発明に従ったデジタル放送受信機では、前記保存手段は、ネットワークを介して電子番組表にアクセスし、前記受信手段が受信したデジタル放送の番組に対応する電子番組表から前記第一記憶手段に記憶された種類のデータを取得することが好ましい。
【００１１】
また、本発明に従ったデジタル放送受信機では、前記保存手段は、前記選択手段が選択したデータが電話番号データであった場合に、ネットワークを介して電話番号データベースにアクセスし、当該電話番号データに対応する前記第一記憶手段に記憶された種類のデータを取得することが好ましい。
【００１２】
また、本発明に従ったデジタル放送受信機では、前記保存手段は、前記選択手段が選択したデータがウェブページのアドレスを特定するデータであった場合に、ネットワークを介して当該アドレスにアクセスし、当該アドレスで特定されるウェブページから前記第一記憶手段に記憶された種類のデータを取得することが好ましい。
【００１３】
また、本発明に従ったデジタル放送受信機では、前記保存手段は、前記第一記憶手段に記憶されたデータの種類が気象情報であった場合に、ネットワークを介して、前記受信手段が受信したデータの受信中の所定のタイミングにおける気象情報を取得することが好ましい。
【００１４】
また、本発明に従ったデジタル放送受信機では、前記保存手段は、前記受信手段が受信したデータから前記第一記憶手段に記憶された種類のデータを取得し、前記選択されたデータに関連付けて前記第二記憶手段に保存することが好ましい。
【００１９】
また、本発明に従ったデジタル放送受信機では、前記保存手段は、前記受信手段が受信したデータから、前記選択手段における設定に基づいて選択されたデータを加工することによって、前記第一記憶手段に記憶された種類のデータを取得することが好ましい。
【００２０】
また、本発明に従ったデジタル放送受信機では、計時手段をさらに備え、前記保存手段は、前記第一記憶手段に記憶されたデータの種類が時刻情報であった場合に、前記受信手段が前記選択手段が選択したデータの受信に対する所定のタイミングでの前記計時手段が計測する時刻情報を取得することが好ましい。
【００２１】
また、本発明に従ったデジタル放送受信機では、通話機能を実現する通話手段をさらに備えることが好ましい。
【発明の効果】
【００２２】
本発明によれば、受信したデジタル放送または付加データの中から選択されたデータが保存される際に、第一記憶手段に記憶された種類のデータが当該選択されたデータに関連付けられて保存される。つまり、デジタル放送受信機が受信したデジタル放送の番組について、ユーザが選択したデータが保存される際に、デジタル放送または付加データの中から、受信した各番組についての同じ種類のデータを、デジタル放送受信機を選択されたデータに関連付けて保存させることができる。
【００２３】
また、保存手段によって、第一記憶手段に記憶された種類のデータであって、選択手段が選択したデータに対応したデータが、選択手段が選択した前記データを用いて外部ネットワークから取得される。そして、取得されたデータは、選択手段が選択したデータに関連付けて第二記憶手段に保存される。これにより、ユーザが不便な思いをすることを回避できる。
【発明を実施するための最良の形態】
【００２４】
以下、図面を参照しつつ、本発明の一実施の形態である携帯電話機について説明する。
図１は、携帯電話機１の外観図である。携帯電話機１は、主に上部筐体２０と下部筐体３０から構成される。携帯電話機１では、上部筐体２０と下部筐体３０とが、図示せぬスライド機構により開閉自在に接続されている。
【００２５】
上部筐体２０には、ディスプレイ２１、受話口２２、および、スピーカ２３が設けられている。また、下部筐体３０には、送話口３１および操作キー３２，３３が設けられている。
【００２６】
図２は、携帯電話機１のハードウェア構成を模式的に示す図である。
図２を参照して、携帯電話機１は、当該携帯電話機１の動作を全体的に制御する中央処理部５０を備えている。中央処理部５０は、ＣＰＵ（Central Processing Unit）を含む。また、携帯電話機１は、中央処理部５０のワークエリアとして機能するＲＡＭ（Random Access Memory）５１を含む。
【００２７】
また、携帯電話機１は、受話口２２を介して通話に関する音声を出力するレシーバ５６、送話口３１を介して入力される音声を中央処理部５０に送るマイク５８、タイマ５７、カメラ５２、および、当該携帯電話機１に対して着脱可能なＳＤ（Secure Digital）メモリカード５００に記録された情報の読取およびＳＤメモリカード５００に対する情報の書込を行なうための外部Ｉ／Ｆ５３を含む。
【００２８】
また、携帯電話機１は、さらに、アンテナ１１，８９、通信制御部８０、チューナ８１、変換部８２、および、エンコーダ８３を含む。
【００２９】
携帯電話機１では、アンテナ８９を介して、通話に関するデータの送受信が行なわれる。この場合、通信制御部８０が送受信動作を実行する。
【００３０】
また、携帯電話機１では、アンテナ１１を介して地上デジタルテレビジョン放送波が受信される。具体的には、アンテナ１１で受信されたテレビジョン放送波は、チューナ８１、変換部８２、および、エンコーダ８３を介して、中央処理部５０に入力される。テレビジョン放送波には、映像データと音声データとこれらのデータに付加的に送信されてきた付加データ（データ放送のデータ）が含まれる。中央処理部５０は、入力されたテレビジョン放送波のデータに基づいて、映像をディスプレイ２１に表示したり、音声をスピーカ２３から出力したり、データ放送等の付加データをディスプレイ２１に表示したり、また、付加データの中から選択されたデータを後述する登録情報保存メモリ４４に保存したりする。
【００３１】
携帯電話機１には、さらに記憶部４０が含まれる。記憶部４０は、中央処理部５０のＣＰＵが実行するプログラムを格納するプログラム記憶部４１、後述する付加登録情報が格納される付加登録情報記憶部４２、ユーザが操作キー３２，３３を操作すること等によって保存するように指定されたデータが格納されるデータ記憶部４３、および、後述する登録情報を保存する登録情報保存メモリ４４を含む。
【００３２】
なお、携帯電話機１では、プログラム記憶部４１に記憶される通話処理用のプログラム、当該プログラムを実行する中央処理部５０、レシーバ５６、マイク５８、通信制御部８０、および、アンテナ８９により、通話機能が達成される。
【００３３】
図３は、携帯電話機１の制御ブロック図である。なお、図３には、携帯電話機１において実現される機能の中で、本発明に直接的に関連しないと考えられる機能に関しては図示が適宜省略されている。
【００３４】
制御部１４は、携帯電話機１における各ブロックを全体的に制御するものであり、中央処理部５０、ＲＡＭ５１、タイマ５７を含む。
【００３５】
携帯電話機１は、地上デジタルテレビジョン放送をアンテナ１１から受信し、そのデータを放送受信部２において、音声データ、映像データ、データ放送のデータに分離し、それぞれのデータを、音声処理部３、映像処理部５、データ放送処理部８に送る。音声処理部３は、送信されてきた音声データに基づいた音声を、スピーカ２３から出力させる。
【００３６】
映像処理部５は、受信したデータをテレビジョン映像として処理し、処理後のデータを表示制御部６に送る。
【００３７】
データ放送処理部８は、送信されてきたデータ放送のデータを処理することにより、データ放送の画面として表示させる表示データと字幕放送として表示させる表示データとを生成し、これらを、表示制御部６に送る。
【００３８】
表示制御部６は、送信されてきたテレビジョン映像とデータ放送画面と字幕放送のそれぞれを表示させるためのデータを利用して、操作キー３２，３３に対して入力された情報に対応した画面をディスプレイ２１に表示する。
【００３９】
携帯電話機１では、アンテナ１１を介して受信した音声データ、映像データ、および／または、データ放送のデータを、たとえばユーザによる操作キー３２，３３に対する操作の内容に応じて、保存することができる。また、ユーザは、操作キー３２，３３を適宜操作することにより、上記の音声データ、映像データ、および／または、データ放送を構成するデータの中から、保存するデータを選択することができる。選択されたデータは、データ記憶部４３（図２参照）に格納される。
【００４０】
また、本実施の形態では、データ記憶部４３にデータが格納される際に、当該データに関連付けて、付加登録情報記憶部４２において特定される種類のデータが、登録情報保存メモリ４４に保存される。なお、付加登録情報記憶部４２において特定される種類のデータは、アンテナ１１を介して受信されたデータ（地上デジタルテレビジョン放送波）、アンテナ８９を介して受信される外部ネットワーク上のデータ、および／または、タイマ５７が計測する時刻情報のデータである。このような場合、携帯電話機１では、登録情報編集処理部９は、付加登録情報記憶部４２に格納される情報に基づいて、音声処理部３、映像処理部５、データ放送処理部８、および／または、外部情報取得部１３から情報を取得し、登録情報保存メモリ４４にデータを保存する。なお、外部情報取得部１３は、登録情報編集処理部９からの指令に基づいて、通信制御部８０に、携帯電話機１の外部のネットワークからなる外部情報取得手段１００から情報を取得させ、取得させた情報を登録情報編集処理部９に送信する。
【００４１】
表１に、付加登録情報記憶部４２に記憶されている、保存するデータの種類を特定する情報（付加登録情報）の一例を示す。
【００４２】
【表１】
0005283865.tif 000002
【００４３】
表１から理解されるように、付加登録情報には、電話番号情報、Web Page情報、文字列検索情報等の項目と、各項目に対してＯＮまたはＯＦＦの設定内容、および、項目の欄に登録された情報に対する詳細な情報（詳細情報）が記憶されている。
【００４４】
付加登録情報における項目は、地上デジタルテレビジョン放送に含まれるデータ放送の或る内容をユーザがデータ記憶部４３に格納させるための操作を行なった場合に、当該データに関連付けて登録情報保存メモリ４４に記憶することができる情報についての項目である。
【００４５】
たとえば、電話番号情報とは、データ記憶部４３に電話番号が保存される場合に、つまり、データ放送を構成するデータの中からユーザがデータ記憶部４３に保存させるデータとして電話番号が選択された場合に、当該電話番号をキーとして携帯電話機１に対して外部のネットワーク上のサーバの検索が行なわれることによって取得される情報を意味する。なお、表１では、電話番号情報の詳細情報として、「名称」および「住所」が登録されている。これにより、上記した電話番号情報の中から、店舗や人物の名称と同定されるデータおよび住所を特定するものと同定されるデータが、抽出されて、登録情報保存メモリ４４に記憶される。なお、ネットワーク上のサーバに格納されているデータの中からどのように店舗や人物の名称のデータを同定して抽出するかについては、周知の技術を採用することができるため、ここでは詳細な説明を繰り返さない。
【００４６】
Web Page情報とは、データ記憶部４３にＵＲＬ（Uniform Resource Locator）が保存される場合に、つまり、データ放送を構成するデータの中からユーザがデータ記憶部４３に保存させるデータとしてＵＲＬが選択された場合に、外部ネットワーク上の当該ＵＲＬで特定されるホームページから取得される情報を意味する。なお、表１では、Web Page情報の詳細情報として、「電話番号」が登録されている。これにより、上記した「Web Page情報」の中から、電話番号と同定されるデータが抽出されて、登録情報保存メモリ４４に記憶される。
【００４７】
文字列検索情報とは、データ記憶部４３に文字列が保存される場合に、つまり、データ放送を構成するデータの中からユーザがデータ記憶部４３に保存させるデータとして文字列が選択された場合に、外部ネットワーク上で当該文字列をキーワードとして検索が行なわれることにより検索結果として取得される情報を意味する。なお、表１では、文字列検索情報の詳細情報として、「電話番号」が登録されている。これにより、上記した「文字列検索情報」の中から、電話番号と同定されるデータが抽出されて、登録情報保存メモリ４４に記憶される。
【００４８】
テレビ番組情報とは、視聴中の番組についての電子番組表を構成する情報を意味する。なお、表１では、テレビ番組情報の詳細情報として、タイトル、チャンネル番号、および、放送開始時刻が登録されている。これにより、テレビ番組情報が登録情報保存メモリ４４に保存される際には、登録情報編集処理部９は、外部情報取得部１３に、外部ネットワーク上の電子番組表にアクセスさせて、視聴中の番組（ユーザがデータ記憶部４３に保存すると選択したデータが対応する番組）に関する情報を取得させ、そして、取得させた番組情報の中から、詳細情報によって特定されるデータ、つまり、番組のタイトル、チャンネル番号、および、放送開始時刻を抽出して、登録情報保存メモリ４４に記憶する。
【００４９】
テレビ画像情報、テレビ動画情報、テレビ音声情報、文字放送情報、データ放送情報とは、それぞれ、視聴中の番組についての対応するデータを意味する。なお、表１では、各項目の詳細情報として、「放送開始時の１コマ目の静止画像」「放送開始から１分間の動画」「放送開始から３０秒間の音声」「データ先頭から５１２ＫＢ分のテキストデータ」「所定のタグで囲まれたデータ」が登録されている。これにより、テレビ画像情報が登録情報保存メモリ４４に保存される際には、登録情報編集処理部９は、映像処理部５から、当該番組の映像データの中から１コマ目の静止画像のデータを取得して、登録情報保存メモリ４４に保存させる。また、テレビ動画情報が登録情報保存メモリ４４に保存される際には、登録情報編集処理部９は、映像処理部５から、当該番組の映像データの中から先頭の１分間の映像データを取得して、登録情報保存メモリ４４に保存させる。また、テレビ音声情報が登録情報保存メモリ４４に保存される際には、登録情報編集処理部９は、音声処理部３から、当該番組の音声データの中から先頭の３０秒分の音声データを取得して、登録情報保存メモリ４４に保存させる。また、文字放送情報が登録情報保存メモリ４４に保存される際には、登録情報編集処理部９は、データ放送処理部８から、当該番組の文字放送のデータの中から先頭の５１２ＫＢ分のデータを取得して、登録情報保存メモリ４４に保存させる。また、データ放送情報が登録情報保存メモリ４４に保存される際には、登録情報編集処理部９は、データ放送処理部８から、当該番組のデータ放送のデータの中から所定のタグ（実際には、具体的なタグの種類を特定する情報）で囲まれたデータを取得して、登録情報保存メモリ４４に保存させる。
【００５０】
時刻情報とは、視聴中の番組（ユーザがデータ記憶部４３に保存すると選択したデータが対応する番組）に対する所定のタイミングでのタイマ５７が計測する時刻情報を意味する。そして、時刻情報の詳細情報には、「視聴中の番組に対する所定のタイミング」が記憶されている。なお、表１では、時刻情報の詳細情報として、「保存指示時の時刻」が登録されている。これにより、時刻情報が登録情報保存メモリ４４に保存される際には、登録情報編集処理部９は、タイマ５７を参照することにより、（視聴中の番組の視聴中であって）データ記憶部４３へのデータの保存を指示する操作をユーザが実行した時刻を取得して、登録情報保存メモリ４４に保存させる。
【００５１】
気象情報とは、視聴中（ユーザがデータ記憶部４３に保存すると選択したデータが対応する番組）の番組に対する所定のタイミングでの、予め登録された地域の気象情報を意味する。気象情報が登録情報保存メモリ４４に保存される際には、登録情報編集処理部９は、外部情報取得部１３に外部ネットワーク上の電子番組表を取得させることによって視聴中の番組の放送開始時刻を特定し、そして、外部情報取得部１３に外部ネットワーク上の気象情報のＨＰにアクセスさせてこのように得られた放送開始時刻における予め登録された地域の気象情報を取得して、登録情報保存メモリ４４に保存させる。
【００５２】
付加登録情報では、各項目に対してＯＮまたはＯＦＦの情報が登録されている。登録情報編集処理部９は、表１の付加登録情報に基づいて登録情報保存メモリ４４にデータを保存させる場合、ＯＮを登録された項目についてのデータのみを、保存させる。
【００５３】
また、付加登録情報では、登録情報として、第１付加情報〜第３１付加情報もさらに記憶されている。なお、これらの情報の内容については、後述する。
【００５４】
中央処理部５０は、ユーザが操作キー３２，３３を適宜操作することにより、付加登録情報のＯＮ／ＯＦＦ情報および各項目の詳細情報を登録または更新する。
【００５５】
表２および表３は、登録情報保存メモリ４４に格納される登録情報の一例を示す図である。
【００５６】
【表２】
0005283865.tif 000003
【００５７】
【表３】
0005283865.tif 000004
【００５８】
表２を参照して、登録情報は、主に、付加登録情報（表１参照）に挙げられた各項目と、それに対応する具体的な情報（登録情報）を含む。なお、登録情報は、さらにデータアドレスおよびデータ量という項目を含む。これらは、データ記憶部４３に保存された情報を特定するための情報である。つまり、表２に示された例では、データ記憶部４３においてアドレス「００００００００」から格納が開始され、データ量が「１１．５ＭＢ」であるデータに、電話番号情報以下の情報が関連付けられて記憶されていることを意味する。
【００５９】
次に、携帯電話機１において、ユーザが番組の視聴中に、当該番組に付加的に送信されてきたデータ放送の一部（または全部）を選択してデータ記憶部４３に保存するための操作を行なった際に、制御部１４が実行する処理について、当該処理のフローチャートである図４〜図９を参照して説明する。
【００６０】
まず、図４を参照して、視聴中の番組のデータ放送に含まれるデータを保存する操作がなされると、制御部１４は、まずステップＳ１０で、操作に応じてデータ放送のデータから保存対象のデータを選択して、ステップＳ２０へ処理を進める。
【００６１】
ステップＳ２０では、制御部１４は、ステップＳ１０で選択されたデータが電話番号のデータであるか否かを判断し、そうであると判断するとステップＳ３０へ処理を進め、そうではないと判断するとステップＳ７０へ処理を進める。なお、制御部１４は、選択されたデータが、電話番号のデータであるか否かの判断は、周知の技術を利用して判断できるので、ここでは詳細な説明を繰り返さない。
【００６２】
ステップＳ３０では、制御部１４は、付加登録情報において、電話番号情報の項目についての付加登録が有効であるか否かを判断し、有効であると判断するとステップＳ４０へ処理を進め、そうではないと判断するとステップＳ７０へ処理を進める。なお、付加登録が有効であるか無効であるかとは、付加登録情報におけるＯＮ／ＯＦＦ設定が、ＯＮに設定されているかＯＦＦに設定されているかに対応している。
【００６３】
ステップＳ４０では、制御部１４は、インターネットなどの外部のネットワーク（図３の外部情報取得手段１００に対応）上の電話番号データベースにアクセスし、電話番号（ステップＳ２０においてユーザがデータ放送のデータから選択したと判断したもの）をキーワードとして検索処理を実行し、ステップＳ５０へ処理を進める。
【００６４】
ステップＳ５０では、制御部１４は、検索結果である情報を取得して、必要に応じてデータを加工し、ステップＳ６０へ処理を進める。なお、ここでは、必要に応じた加工とは、電話番号情報の詳細情報（名称および住所）と同定される情報を抽出することである。
【００６５】
また、ステップＳ５０では、当該電話番号情報の詳細情報をさらに加工することにより、当該電話番号が携帯電話機に対して割り当てられている番号であるか固定電話に対して割り当てられている番号であるかについての情報（第１付加情報）、フリーダイヤルであるか否かの情報（第２付加情報）、現在使われているかどうかの情報（第３付加情報）、携帯電話機に対して割り当てられた番号であればキャリア（電気通信事業者）を特定する情報（第４付加情報）、当該番号が犯罪に使用されたものではないかどうかの情報（第５付加情報）、当該番号の契約者を特定する情報（第６付加情報）、および／または、いつまで当該番号が契約されているかを特定する情報（第７付加情報）が、抽出される。なお、制御部１４は、これらの情報を、周知の技術を利用することにより抽出できるものとする。
【００６６】
ステップＳ６０では、制御部１４は、ステップＳ１０で選択されたデータにステップＳ５０で取得し加工したデータを付加して、ステップＳ７０へ処理を進める。
【００６７】
ステップＳ７０では、制御部１４は、ステップＳ１０で選択されたデータがＵＲＬであるか否かを判断し、そうであると判断するとステップＳ８０へ処理を進め、そうではないと判断するとステップＳ１２０へ処理を進める。なお、制御部１４は、選択されたデータが、ＵＲＬのデータであるか否かの判断は、周知の技術を利用して判断できるので、ここでは詳細な説明を繰り返さない。
【００６８】
図５を参照して、ステップＳ８０では、制御部１４は、付加登録情報において、Web Page情報の項目についての付加登録が有効であるか否か（ＯＮかＯＦＦか）を判断し、有効であると判断するとステップＳ９０へ処理を進め、そうではないと判断するとステップＳ１２０へ処理を進める。
【００６９】
ステップＳ９０では、制御部１４は、インターネットなどの外部のネットワーク（図３の外部情報取得手段１００に対応）上の、選択されたＵＲＬで特定されるページにアクセスして、ステップＳ１００へ処理を進める。
【００７０】
ステップＳ１００では、制御部１４は、アクセス先のページのデータを加工（詳細情報（表１参照）に対応するデータを抽出）して、ステップＳ１１０へ処理を進める。
【００７１】
また、ステップＳ１００では、当該アクセス先のページのデータを加工することにより、当該ＵＲＬで特定されるページを特定するデータが保存されているサーバが設置されている国や地域を特定する情報（第８付加情報）、当該アクセス先のページについての、作成者（第９付加情報）や作成日（第１０付加情報）や最新の更新日（第１１付加情報）、アクセス数（第１２付加情報）、タイトル（第１３付加情報）、使用される最も多い単語（第１４付加情報）、および／または、Top Pageのキャプチャイメージを圧縮した画像データ（第１５付加情報）が、抽出される。なお、制御部１４は、これらの情報を、周知の技術を利用することにより抽出できるものとする。
【００７２】
ステップＳ１１０では、制御部１４は、ステップＳ１０で選択されたデータにステップＳ１００で取得し加工したデータを付加して、ステップＳ１２０へ処理を進める。
【００７３】
ステップＳ１２０では、制御部１４は、付加登録情報において、文字列検索情報の項目についての付加登録が有効であるか否か（ＯＮかＯＦＦか）を判断し、有効であると判断するとステップＳ１３０へ処理を進め、そうではないと判断するとステップＳ１６０へ処理を進める。
【００７４】
ステップＳ１３０では、制御部１４は、インターネットなどの外部のネットワーク（図３の外部情報取得手段１００に対応）上で、選択された文字列をキーワードとして検索処理を行なって、ステップＳ１４０へ処理を進める。
【００７５】
ステップＳ１４０では、制御部１４は、検索結果として得られたデータを加工（詳細情報（表１参照）に対応するデータを抽出）して、ステップＳ１５０へ処理を進める。
【００７６】
また、ステップＳ１４０では、検索結果として得られたデータを加工することにより、検索結果として得られたPage（ネットワーク上のホームページ）のＵＲＬ（第１６付加情報）、検索結果のヒット数、つまり、検索結果として得られた情報の件数（第１７付加情報）、検索結果として得られたPageの中に最も多く含まれる単語、つまり、上記の「選択された文字列」に関連している度合いが高いと考えられる単語（第１８付加情報）、および／または、検索結果として得られたPageのTop Pageの画像のキャプチャイメージのデータ（第１９付加情報）が、抽出される。なお、第１６付加情報として抽出されるＵＲＬは、たとえば、検索結果の中の上位１０のＵＲＬ等、予め定められた数等の条件に従ったものとされる。また、制御部１４は、これらの情報を、周知の技術を利用することにより抽出できるものとする。
【００７７】
ステップＳ１５０では、制御部１４は、ステップＳ１０で選択されたデータにステップＳ１５０で取得し加工したデータを付加して、ステップＳ１６０へ処理を進める。
【００７８】
図６を参照して、ステップＳ１６０では、制御部１４は、付加登録情報において、テレビ番組情報の項目についての付加登録が有効であるか否か（ＯＮかＯＦＦか）を判断し、有効であると判断するとステップＳ１７０へ処理を進め、そうではないと判断するとステップＳ２００へ処理を進める。
【００７９】
ステップＳ１７０では、制御部１４は、インターネットなどの外部のネットワーク（図３の外部情報取得手段１００に対応）上の電子番組表にアクセスして、ステップＳ１８０へ処理を進める。
【００８０】
ステップＳ１８０では、制御部１４は、アクセスした電子番組表において、視聴中の番組についてのデータを取得し、当該取得したデータを加工（番組のデータの中から、詳細情報（表１参照）に対応するデータを抽出）して、ステップＳ１９０へ処理を進める。
【００８１】
また、ステップＳ１８０では、上記したように取得したデータを加工することにより、当該テレビ番組についての、放送する放送局を特定する情報（第２０付加情報）、制作会社を特定する情報（第２１付加情報）、プロデューサ名等の製作に関わった者（番組のエンドロールに流れるような者）の中の所定の役割の者を特定する情報（第２２付加情報）、出演者（第２３付加情報）、（当該出演者が他に出演する番組等の）当該出演者に関連した番組を特定する情報（第２４付加情報）、（スポーツ、ドラマ等の）ジャンルを特定する情報（第２５付加情報）、放送時間延長の有無（第２６付加情報）、（連続ドラマ等に関しての）次回の放送予定日時（第２７付加情報）、および／または、提供会社（第２８付加情報）が、抽出される（表３参照）。なお、制御部１４は、これらの情報を、周知の技術を利用することにより抽出できるものとする。
【００８２】
ステップＳ１９０では、制御部１４は、ステップＳ１０で選択されたデータにステップＳ１９０で取得し加工したデータを付加して、ステップＳ２００へ処理を進める。
【００８３】
ステップＳ２００では、制御部１４は、付加登録情報において、テレビ画像情報の項目についての付加登録が有効であるか否か（ＯＮかＯＦＦか）を判断し、有効であると判断するとステップＳ２１０へ処理を進め、そうではないと判断するとステップＳ２４０へ処理を進める。
【００８４】
ステップＳ２１０では、制御部１４は、番組の映像データを取得して、ステップＳ２２０へ処理を進める。
【００８５】
ステップＳ２２０では、制御部１４は、取得したデータを加工（詳細情報（表１参照）に対応するデータを抽出）して、ステップＳ２３０へ処理を進める。
【００８６】
また、ステップＳ２２０では、上記したように取得したデータを加工することにより、当該番組のタイトル表示時の静止画像（第２９付加情報）、および／または、臨時ニュースを表示しているときの静止画像（第３０付加情報）が、抽出される。なお、制御部１４は、これらの情報を、周知の技術を利用することにより抽出できるものとする。
【００８７】
ステップＳ２３０では、制御部１４は、ステップＳ１０で選択されたデータにステップＳ２２０で取得し加工したデータを付加して、ステップＳ２４０へ処理を進める。
【００８８】
図７を参照して、ステップＳ２４０では、制御部１４は、付加登録情報において、テレビ動画情報の項目についての付加登録が有効であるか否か（ＯＮかＯＦＦか）を判断し、有効であると判断するとステップＳ２５０へ処理を進め、そうではないと判断するとステップＳ２８０へ処理を進める。
【００８９】
ステップＳ２５０では、制御部１４は、番組の映像データを取得して、ステップＳ２６０へ処理を進める。
【００９０】
ステップＳ２６０では、制御部１４は、取得したデータを加工（詳細情報（表１参照）に対応するデータを抽出）して、ステップＳ２７０へ処理を進める。
【００９１】
ステップＳ２７０では、制御部１４は、ステップＳ１０で選択されたデータにステップＳ２６０で取得し加工したデータを付加して、ステップＳ２８０へ処理を進める。
【００９２】
ステップＳ２８０では、制御部１４は、付加登録情報において、テレビ音声情報の項目についての付加登録が有効であるか否か（ＯＮかＯＦＦか）を判断し、有効であると判断するとステップＳ２９０へ処理を進め、そうではないと判断するとステップＳ３２０へ処理を進める。
【００９３】
ステップＳ２９０では、制御部１４は、番組の音声データを取得して、ステップＳ３００へ処理を進める。
【００９４】
ステップＳ３００では、制御部１４は、取得したデータを加工（詳細情報（表１参照）に対応するデータを抽出）して、ステップＳ３１０へ処理を進める。
【００９５】
ステップＳ３１０では、制御部１４は、ステップＳ１０で選択されたデータにステップＳ３００で取得し加工したデータを付加して、ステップＳ３２０へ処理を進める。
【００９６】
図８を参照して、ステップＳ３２０では、制御部１４は、付加登録情報において、文字放送情報の項目についての付加登録が有効であるか否か（ＯＮかＯＦＦか）を判断し、有効であると判断するとステップＳ３３０へ処理を進め、そうではないと判断するとステップＳ３６０へ処理を進める。
【００９７】
ステップＳ３３０では、制御部１４は、データ放送（中の文字放送）のデータを取得して、ステップＳ３４０へ処理を進める。
【００９８】
ステップＳ３４０では、制御部１４は、取得したデータを加工（詳細情報（表１参照）に対応するデータを抽出）して、ステップＳ３５０へ処理を進める。
【００９９】
また、ステップＳ３４０では、上記したように取得したデータを加工することにより、当該文字放送中で最も多く使用されている単語（第３１付加情報）が抽出される。なお、制御部１４は、この情報を、周知の技術を利用することにより抽出できるものとする。
【０１００】
ステップＳ３５０では、制御部１４は、ステップＳ１０で選択されたデータにステップＳ３４０で取得し加工したデータを付加して、ステップＳ３６０へ処理を進める。
【０１０１】
ステップＳ３６０では、制御部１４は、付加登録情報において、データ放送情報の項目についての付加登録が有効であるか否か（ＯＮかＯＦＦか）を判断し、有効であると判断するとステップＳ３７０へ処理を進め、そうではないと判断するとステップＳ４００へ処理を進める。
【０１０２】
ステップＳ３７０では、制御部１４は、番組のデータ放送のデータを取得して、ステップＳ３８０へ処理を進める。
【０１０３】
ステップＳ３８０では、制御部１４は、取得したデータを加工（詳細情報（表１参照）に対応するデータを抽出）して、ステップＳ３９０へ処理を進める。
【０１０４】
ステップＳ３９０では、制御部１４は、ステップＳ１０で選択されたデータにステップＳ３８０で取得し加工したデータを付加して、ステップＳ４００へ処理を進める。
【０１０５】
図９を参照して、ステップＳ４００では、制御部１４は、付加登録情報において、時刻情報の項目についての付加登録が有効であるか否か（ＯＮかＯＦＦか）を判断し、有効であると判断するとステップＳ４１０へ処理を進め、そうではないと判断するとステップＳ４４０へ処理を進める。
【０１０６】
ステップＳ４１０では、制御部１４は、その時点での時刻をタイマ５７から取得して、ステップＳ４２０へ処理を進める。
【０１０７】
ステップＳ４２０では、制御部１４は、取得したデータを加工（詳細情報（表１参照）に対応するデータを抽出）して、ステップＳ４３０へ処理を進める。
【０１０８】
ステップＳ４３０では、制御部１４は、ステップＳ１０で選択されたデータにステップＳ４２０で取得し加工したデータを付加して、ステップＳ４４０へ処理を進める。
【０１０９】
ステップＳ４４０では、制御部１４は、付加登録情報において、気象情報の項目についての付加登録が有効であるか否か（ＯＮかＯＦＦか）を判断し、有効であると判断するとステップＳ４５０へ処理を進め、そうではないと判断するとステップＳ４８０へ処理を進める。
【０１１０】
ステップＳ４５０では、制御部１４は、外部のネットワーク上の、気象情報を提供するホームページにアクセスして、ステップＳ４６０へ処理を進める。
【０１１１】
ステップＳ４６０では、制御部１４は、ステップＳ４５０でアクセスしたホームページから適宜データを加工（詳細情報（表１参照）に対応するデータを抽出）し、加工後のデータを取得して、ステップＳ４７０へ処理を進める。
【０１１２】
ステップＳ４７０では、制御部１４は、ステップＳ１０で選択されたデータにステップＳ４６０で取得し加工したデータを付加して、ステップＳ４８０へ処理を進める。
【０１１３】
ステップＳ４８０では、制御部１４は、ステップＳ１０で選択されたデータをデータ記憶部４３に保存させるとともに、ステップＳ２０〜ステップＳ４７０の処理において表１に基づいて取得したデータを登録情報保存メモリ４４に保存させて、処理を終了させる。
【０１１４】
以上説明した本実施の形態の携帯電話機１では、ユーザは、デジタル放送の番組の視聴中に、当該番組およびその付加データから、データを選択してデータ記憶部４３に保存させることができる。なお、データが保存される際に、携帯電話機１は、当該データに関連付けて、付加登録情報記憶部４２において特定される種類のデータが、登録情報保存メモリ４４に保存される。なお、付加登録情報記憶部４２において特定される種類のデータは、アンテナ１１を介して受信されたデータ（地上デジタルテレビジョン放送波）、アンテナ８９を介して受信される外部ネットワーク上のデータ、および／または、タイマ５７が計測する時刻情報のデータが含まれる。
【０１１５】
なお、以上説明した本実施の形態では、デジタルテレビジョン受像機の一例として、通話機能を有する携帯電話機１を説明したが、必ずしも通話機能は必要ではない。
【０１１６】
ただし、本実施の形態では、通話機能を有する携帯電話機に本発明が適用され、また、Web Page情報等として、選択されたデータに対応する電話番号が自動的に取得されることにより、通話機能に関連した情報を、容易に取得することができるという独特の効果を奏することができる。
【０１１７】
また、表１に示された項目は、選択されたデータが保存される際に付加的に保存されるデータの一例であり、項目の内容は、適宜変更されることが十分に考えられる。
【０１１８】
また、表１では、すべての項目についてＯＮが設定されている状態が示されているが、少なくとも１つが、または、すべてが、ＯＦＦに設定される状態も十分に考えられる。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２０】
【図１】本発明のデジタル放送受信機の一実施の形態である携帯電話機の外観図である。
【図２】図１の携帯電話機のハードウェア構成を模式的に示す図である。
【図３】図１の携帯電話機の制御ブロック図である。
【図４】図１の携帯電話機において視聴中の番組のデータから保存するデータが選択された際に、図３の制御部が実行する処理のフローチャートである。
【図５】図１の携帯電話機において視聴中の番組のデータから保存するデータが選択された際に、図３の制御部が実行する処理のフローチャートである。
【図６】図１の携帯電話機において視聴中の番組のデータから保存するデータが選択された際に、図３の制御部が実行する処理のフローチャートである。
【図７】図１の携帯電話機において視聴中の番組のデータから保存するデータが選択された際に、図３の制御部が実行する処理のフローチャートである。
【図８】図１の携帯電話機において視聴中の番組のデータから保存するデータが選択された際に、図３の制御部が実行する処理のフローチャートである。
【図９】図１の携帯電話機において視聴中の番組のデータから保存するデータが選択された際に、図３の制御部が実行する処理のフローチャートである。
【符号の説明】
【０１２１】
１  携帯電話機、２  放送受信部、３  音声処理部、５  映像処理部、６  表示制御部、８  データ放送処理部、９  登録情報編集処理部、１１，８９  アンテナ、１３  外部情報取得部、１４  制御部、２１  ディスプレイ、２３  スピーカ、２０  上部筐体、３０  下部筐体、３２，３３  操作キー、４０  記憶部、４１  プログラム記憶部、４２  付加登録情報記憶部、４３  データ記憶部、４４  登録情報保存メモリ、５０  中央処理部、５７  タイマ、８０  通信制御部、８１  チューナ、８２  変換部、８３  エンコーダ、１００  外部情報取得手段。
【図１】
0005283865.tif 000005
【図２】
0005283865.tif 000006
【図３】
0005283865.tif 000007
【図４】
0005283865.tif 000008
【図５】
0005283865.tif 000009
【図６】
0005283865.tif 000010
【図７】
0005283865.tif 000011
【図８】
0005283865.tif 000012
【図９】
0005283865.tif 000013